(57)【要約】  【課題】  主として直床工法を採用することにより、天井高を確保しながらも室内の床段差をなくすことができ、且つ、水周り設備の位置変更が可能で、間取り変更の自由度を高めることができるようにした集合住宅のスラブ構造を提供する。  【解決手段】  複数の住戸区画１が戸境壁２を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画１を水平方向に仕切るスラブのうち、各住戸区画１のはり間方向での中間領域を、はり間方向両側の内スラブ９ａ，９ａよりもスラブ面を低くした凹入スラブ９ｂに形成し、当該凹入スラブ９ｂは、隣接する住戸区画１の凹入スラブ９ｂと同一幅で桁方向に連続した状態に設け、前記凹入スラブ９ｂと、そのはり間方向両側の内スラブ９ａ，９ａに、夫々、アンボンドＰＣ鋼材１３を桁方向に連続して配設し、プレストレスを導入する。  【選択図】  図２
2005180012.tif 000002
【特許請求の範囲】
【請求項１】
複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブと、そのはり間方向両側の内スラブに、夫々、アンボンドＰＣ鋼材を桁方向に連続して配設して、プレストレスを導入してあることを特徴とする集合住宅のスラブ構造。
【請求項２】
凹入スラブとそのはり間方向両側の内スラブとの間に形成される段差部に、アンボンドＰＣ鋼材が桁方向に連続して配設されていることを特徴とする請求項１に記載の集合住宅のスラブ構造。
【請求項３】
複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブとそのはり間方向両側の内スラブとの間に形成される段差部にのみ、アンボンドＰＣ鋼材を桁方向に連続して配設して、プレストレスを導入してあることを特徴とする集合住宅のスラブ構造。
【請求項４】
複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブと、当該凹入スラブとそのはり間方向両側の内スラブとの間に形成される段差部とにのみ、夫々、アンボンドＰＣ鋼材を桁方向に連続して配設して、前記凹入スラブと前記段差部とでプレストレスが導入された略Ｕ字状の補強スラブを形成することを特徴とする集合住宅のスラブ構造。
【請求項５】
複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブとそのはり間方向両側の内スラブとの間に形成される段差部と、内スラブの段差部側に位置する部分とにのみ、アンボンドＰＣ鋼材を桁方向に連続して配設して、プレストレスを導入してあることを特徴とする集合住宅のスラブ構造。
【請求項６】
複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向
に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブとそのはり間方向両側の内スラブとの間に形成される段差部と、前記内スラブ及び凹入スラブの段差部側に位置する部分とにのみ、夫々、アンボンドＰＣ鋼材を桁方向に連続して配設して、プレストレスを導入してあることを特徴とする集合住宅のスラブ構造。
【請求項７】
凹入スラブに配設されるアンボンドＰＣ鋼材は、桁方向両端側の梁を固定端、桁方向中央部側を緊張端として連続して配設されていることを特徴とする請求項１、請求項２、請求項４、請求項５、請求項６の何れかに記載の集合住宅のスラブ構造。
【請求項８】
住戸区画の間口寸法が広い住戸区画のスラブ部分には、補強のためのアンボンドＰＣ鋼材が配設されていることを特徴とする請求項１、請求項２、請求項４、請求項５、請求項６、請求項７の何れかに記載の集合住宅のスラブ構造。
【発明の詳細な説明】
【技術分野】
【０００１】
本発明は、複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅のスラブ構造に関するものである。
【背景技術】
【０００２】
集合住宅において、床段差をなくし、且つ、住戸内の間取り変更の自由度を高める方法としては、躯体スラブの上に所定の空間を設けて仕上げ床を構築するいわゆる二重床工法が用いられることが多い。また、この場合、特許文献１に見られるように、スラブ内にアンボンドＰＣ鋼材（ＰＣ鋼線を複数本束ねたＰＣ鋼より線をいう）を埋設してプレストレスを導入することにより、スラブを支える小梁をなくして、フラットなスラブを構築するいわゆるプレストレスト鉄筋コンクリート造スラブ（ＰＲＣスラブ）が用いられることが多い。
【０００３】
この構成によれば、浴室（ユニットバス）など段差が生じる水周り設備を二重床に埋め込むようにすれば床段差をなくすことができ、浴室、洗面所、台所などからの排水横引き管も、二重床の空間を利用して自由に配管でき、小梁のないフラットなスラブであるため、天井裏への空調設備用の配管にも制限がないことと相まって、住戸内の間取り変更を自由にできる利点がある。
【０００４】
しかしながら、二重床工法では、同じ階高を有する建物の場合、スラブに直に床仕上げ材を設けるいわゆる直床工法と比較すると、二重床にした分だけ天井高が低くなるという問題点がある。また、二重床にした場合、設備配管が敷設されていない部分は、全く無駄な空間となり、この空間を収納空間として利用する提案もなされているが、その分、コストが割高となる。
【０００５】
この点、直床工法では、天井高が高くなり、収納のための棚を増やすこともでき、割安である反面、浴室（ユニットバス）など段差が生じる水周り設備の高低差を吸収できる部分がないので、室内に段差のない床を構築することができないという問題点がある。
【０００６】
そこで、浴室（ユニットバス）など段差が生じる部分については、特許文献２に見られるように、浴室などの水周り設備の配置に合わせて、スラブ自体に、周囲よりもスラブ面が（上端レベルでも、下端レベルでも）低い凹入スラブを形成し、凹入スラブ部分だけ二重床として、室内の床段差をなくす手法がとられることもある。
【０００７】
しかしながら、浴室などの水周り設備の配置に合わせてスラブに段差を設けてしまうと、図１６に示すように、凹入スラブ９ｂを通る状態にアンボンドＰＣ鋼材１３を配設できなくなるので、スラブの支えが不十分になり、必要に応じて小梁を設けるといった対処が必要になる。また、浴室などの水周り設備の配置に合わせて凹入スラブ９ｂを設けてしまうと、水周り設備の配置が制約され、他の位置への移動による間取り変更が困難であるばかりでなく、小梁の存在によって天井裏への設備配管の位置に制約が生じたり、室内の間仕切り壁の位置変更に支障があるなど様々な問題が生じることになる。
【０００８】
尚、特許文献３には、共用廊下に沿って住戸区画が連続した集合住宅において、住戸区画内の床スラブのうち、採光面側に位置する居室床スラブよりも反対側（共用廊下側）のスラブ面を低くして、水場床スラブとし、居室床スラブと水場床スラブの段差部（連結部
）だけにアンボンドＰＣ鋼材を配設したスラブ構造が記載されている。
【０００９】
しかながら、このスラブ構造は、同文献の図１２に記載されている通り、居室床スラブまで二重床としており、水場床スラブのスラブ面を居室床スラブより低くした利点が活かされていない。
【００１０】
【特許文献１】特開平６−８８４２８号公報
【特許文献２】特開１０−３７４９７号公報
【特許文献３】特開２００２−１３８６１８号公報
【発明の開示】
【発明が解決しようとする課題】
【００１１】
本発明は、上記の事柄に留意してなされたもので、その目的とするところは、複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、主として直床工法を採用することにより、天井高を確保しながらも室内の床段差をなくすことができ、且つ、水周り設備の位置変更が可能で、間取り変更の自由度を高めることができるようにした集合住宅のスラブ構造を提供することにある。
【課題を解決するための手段】
【００１２】
上記の目的を達成するために、本発明が講じた技術的手段は、次の通りである。即ち、請求項１に記載の発明は、複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブと、そのはり間方向両側の内スラブに、夫々、アンボンドＰＣ鋼材を桁方向に連続して配設して、プレストレスを導入してあることを特徴としている。
【００１３】
請求項２に記載の発明は、請求項１に記載の集合住宅のスラブ構造において、凹入スラブとそのはり間方向両側の内スラブとの間に形成される段差部に、アンボンドＰＣ鋼材が桁方向に連続して配設されていることを特徴としている。
【００１４】
請求項３に記載の発明は、複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブとそのはり間方向両側の内スラブとの間に形成される段差部にのみ、アンボンドＰＣ鋼材を桁方向に連続して配設して、プレストレスを導入してあることを特徴としている。
【００１５】
請求項４に記載の発明は、複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住
戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブと、当該凹入スラブとそのはり間方向両側の内スラブとの間に形成される段差部とにのみ、夫々、アンボンドＰＣ鋼材を桁方向に連続して配設して、前記凹入スラブと前記段差部とでプレストレスが導入された略Ｕ字状の補強スラブを形成することを特徴としている。
【００１６】
請求項５に記載の発明は、複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブとそのはり間方向両側の内スラブとの間に形成される段差部と、内スラブの段差部側に位置する部分とにのみ、アンボンドＰＣ鋼材を桁方向に連続して配設して、プレストレスを導入してあることを特徴としている。
【００１７】
請求項６に記載の発明は、複数の住戸区画が戸境壁を挟んで桁方向に連続して配置され、且つ、垂直方向に積層して配置され、各住戸区画を水平方向に連続して連通する共用廊下を有し、各住戸区画のはり間方向での中間領域に浴室、トイレなどの水周りを設ける集合住宅において、垂直方向に積層された住戸区画を水平方向に仕切るスラブのうち、各住戸区画のはり間方向での中間領域が、はり間方向両側の内スラブよりもスラブ面を低くした凹入スラブに形成され、当該凹入スラブは、隣接する住戸区画の凹入スラブと同一幅で桁方向に連続した状態に設けられ、前記凹入スラブとそのはり間方向両側の内スラブとの間に形成される段差部と、前記内スラブ及び凹入スラブの段差部側に位置する部分とにのみ、夫々、アンボンドＰＣ鋼材を桁方向に連続して配設して、プレストレスを導入してあることを特徴としている。
【００１８】
請求項７に記載の発明は、請求項１、請求項２、請求項４、請求項５、請求項６の何れかに記載の集合住宅のスラブ構造において、凹入スラブに配設されるアンボンドＰＣ鋼材は、桁方向両端側の梁を固定端、桁方向中央部側を夫々緊張端として連続して配設されていることを特徴としている。
【００１９】
請求項８に記載の発明は、請求項１、請求項２、請求項４、請求項５、請求項６、請求項７の何れかに記載の集合住宅のスラブ構造において、住戸区画の間口寸法が広い住戸区画のスラブ部分には、補強のためのアンボンドＰＣ鋼材が配設されていることを特徴としている。
【発明の効果】
【００２０】
請求項１に記載の発明によれば、各住戸区画の中間領域に形成された凹入スラブが、隣接する住戸区画の凹入スラブと同一幅で桁方向に連続した状態に設けられているので、凹入スラブのはり間方向両側に位置する内スラブだけでなく凹入スラブにもアンボンドＰＣ鋼材を桁方向全長にわたて連続して配設できることになる。
【００２１】
従って、複数の住戸区画が戸境壁を挟んで桁方向に連続して配置され、桁方向の梁で各住戸区画の床スラブの二辺が支えられた躯体構造であるにもかかわらず、小梁を設けることなくスラブ剛性を高めることができ、小梁の存在によって天井裏設備配管の位置に制約が生じたり、室内の間仕切り壁の位置変更に支障が生じることがない。
【００２２】
殊に、凹入スラブ部分については二重床となるが、その両側の内スラブについては直床
工法を採用して、天井高を確保でき、しかも、凹入スラブが、隣接する住戸区画の凹入スラブと同一幅で桁方向に連続した状態に設けられており、二重床が桁方向に連続することになるので、換言すれば、各住戸区画の間口寸法の全長にわたって二重床が存在することになるので、浴室（ユニットバス）など段差が生じる水周り設備を二重床に埋め込むことで床段差をなくすことができるばかりでなく、水周り設備の配置上の制約が小さくなり、水周り設備を二重床の範囲内で自由に位置変更することが可能であり、小梁の存在によって天井裏設備配管の位置に制約が生じたり、室内の間仕切り壁の位置変更に支障が生じることがないことと相まって住戸内の間取り変更の自由度を高めることができる。
【００２３】
請求項２に記載の発明によれば、請求項１に記載の発明による効果に加えて、段差部分にもアンボンドＰＣ鋼材によるプレストレスが導入でき、スラブの剛性が高められるだけでなく、住戸区画の間口が大きくなった場合にも、適用可能である。
【００２４】
請求項３に記載の発明によれば、段差部にのみアンボンドＰＣ鋼材を配設し、スラブを支持するようにしたので、スラブに排水立て管などを貫通させる場合、ＰＣ鋼材の配設位置を気にすることなく貫通させることができる。
【００２５】
請求項４に記載の発明によれば、段差部だけでなく、はり間方向の中間領域にある凹入スラブをアンボンドＰＣ鋼材で補強したので、住戸区画の間口が広い場合や、中間領域にある凹入スラブの面積が大きい場合にも、適用可能である。
【００２６】
請求項５に記載の発明によれば、段差部だけでなく、内スラブのうち、段差部側に位置する部分をアンボンドＰＣ鋼材で補強するようにしたので、段差部の断面積を小さくでき、且つ、水周りが設けられ排水立て管のスラブ貫通が必要な凹入スラブ部分にＰＣ鋼材を配設させることなくスラブ補強ができる。また、内スラブのうち、段差部側とは反対側のスラブにはＰＣ鋼材がないので、後述する図１の平面図に表されるように、内スラブ部分にメーターボックスなどが設けられる場合であっても、給水立て管やガス供給立て管、電気幹線などのスラブ貫通の制約が少ない。
【００２７】
請求項６に記載の発明によれば、段差部だけでなく、内スラブと凹入スラブのうち、段差部側に位置する部分をアンボンドＰＣ鋼材で補強するようにしたので、段差部の断面積を小さくでき、住戸区画の間口が広い場合や、中間領域にある凹入スラブの面積が大きい場合にも適用可能であり、凹入スラブの中間位置にはＰＣ鋼材が配設されていないので、排水立て管を凹入スラブに貫通させる場合の制約を軽減できる。
【００２８】
請求項７に記載の発明によれば、凹入スラブに配設されるアンボンドＰＣ鋼材は、桁方向両端側の梁を固定端、桁方向中央部側を緊張端として連続的に配設するようにしたので、桁方向両端の梁部分に緊張端を設ける場合に比較して、上向き作業などがなくて作業性が良いほか、凹入スラブ部分は、二重床となるので、スラブ部分に緊張端を設けても、仕上げに影響することがない。
【００２９】
請求項８に記載の発明によれば、間口寸法に応じたスラブ剛性を確保でき、間口の広い住戸区画があっても、本発明を経済的に実施できる。
【発明を実施するための最良の形態】
【００３０】
以下、本発明の実施形態を、図面を参照しながら説明するが、それによって本発明は限定されるものではない。図１は本発明に係るスラブ構造が適用された集合住宅の一般階の平面図である。図１において、１は、梁型のない戸境壁２を挟んで桁方向に連続して配置された複数の住戸区画である。３は柱、４は梁、５は、バルコニー６や共用廊下７を構成する片持ちの外周スラブである。図１に示す各住戸区画１の室内床のうち、幅Ｌで示す範
囲が二重床とされ、そのはり間方向両側（バルコニー側と共用廊下側）の室内床は、直床工法で仕上げられている。各住戸区画１の内部には、二重床の幅Ｌ内で且つ戸境壁２から１ｍ以上に離れた位置に排水たて管８が設けられている。図１に示すＭＢはメーターボックスである。
【００３１】
前記排水たて管８に排水横引き管で接続される水周り設備のうち、低位置（底面）から排水する必要のある浴室や便所などの水周り設備（円ａで示す）は、二重床の幅Ｌ内に配置されている。水周り設備のうち、比較的高い位置から排水するため排水横引き管を機器背面や戸境壁に沿わせて配管できる台所などの水周り設備（円ｂで示す）は、図１における左から二つ目と五つ目の住戸区画１のように、二重床の幅Ｌ内に配置してもよく、左端の住戸区画１、左から三つ目と四つ目の住戸区画１、右端の住戸区画１のように、直床工法による室内床の範囲に配置することもできる。
【００３２】
次に、図１に示した間取りを有する集合住宅のスラブ構造を説明する。図２と図３は、本発明に係るスラブ構造を説明する平面図と断面図である。図２、図３に示すように、垂直方向に積層された住戸区画１を水平方向に仕切るスラブのうち、各住戸区画１のはり間方向での中間領域（図２に斜線で示した領域）は、はり間方向両側の内スラブ９ａ，９ａよりもスラブ面を上端レベルでも下端レベルでも低くした凹入スラブ９ｂに形成され、当該凹入スラブ９ｂは、隣接する住戸区画１の凹入スラブ９ｂと同一幅（図１で示した二重床の幅Ｌ）で桁方向に連続した状態に設けられている。１０は、凹入スラブ９ｂと、そのはり間方向両側の内スラブ９ａ，９ａとの間に形成される段差部であり、段差部１０の上端レベルは内スラブ９ａ，９ａの上端レベルと同一であり、段差部１０の下端レベルは、凹入スラブ９ｂの下端レベルと同一である。図３に示す１１は段差部１０に埋設した補強筋、１２は梁４に埋設した梁筋である。尚、スラブ配筋の詳細は図面上省略してある。
【００３３】
前記凹入スラブ９ｂと、その両側の内スラブ９ａ，９ａには、夫々、複数本のアンボンドＰＣ鋼材１３が桁方向に連続して配設され、当該アンボンドＰＣ鋼材１３を緊張させることによって、プレストレスを導入してある。アンボンドＰＣ鋼材１３の端部の矢印は緊張方向を示している。
【００３４】
内スラブ９ａ，９ａに配設されたアンボンドＰＣ鋼材１３は、図４、図５に示すように、外周スラブ５あるいはその先端を緊張端とされている。図４、図５に示す１５は端部補強筋、１６は緊張後に充填されたモルタルである。
【００３５】
凹入スラブ９ｂに配設されたアンボンドＰＣ鋼材１３は、凹入スラブ９ｂよりもスラブ面の高い外周スラブ５が緊張作業の障害にならないように、図２、図６に示すように、桁方向両端側の梁４を固定端とされ、図２、図７、図８に示すように、桁方向の中央部側を緊張端とされている。図２、図８に示すように、左右の緊張端は、互いにラップする位置に配置され、桁方向中央部では２本のアンボンドＰＣ鋼材１３が互いにラップして配設されるので、構造的には、アンボンドＰＣ鋼材１３が桁方向全長にわたって連続して配設されていると見なし得る。図７、図８に示す１７は打込み型枠であり、凹入スラブ９ｂの上から図外のジャッキで、打込み型枠１７内に露出させたＰＣ鋼材端部を牽引して緊張させるようにしてある。打込み型枠１７には、緊張後、モルタルが充填される。
【００３６】
上記の構成によれば、各住戸区画１の中間領域に形成された凹入スラブ９ｂが、隣接する住戸区画１の凹入スラブ９ｂと同一幅で桁方向に連続した状態に設けられているので、凹入スラブ９ｂの両側に位置する内スラブ９ａ，９ａだけでなく凹入スラブ９ｂにもアンボンドＰＣ鋼材１３を桁方向に連続して配設できることになる。
【００３７】
従って、小梁を設けることなくスラブ剛性を高めることができ、小梁の存在によって天
井裏設備配管の位置に制約が生じたり、室内の間仕切り壁の位置変更に支障が生じることがない。
【００３８】
殊に、凹入スラブ９ｂ部分については二重床となるが、その両側の内スラブ９ａ，９ａについては直床工法を採用して、天井高を確保でき、しかも、凹入スラブ９ｂが、隣接する住戸区画１の凹入スラブ９ｂと同一幅で桁方向に連続した状態に設けられており、図１で示したように、一定幅Ｌの二重床が桁方向に連続することになるので、換言すれば、各住戸区画１の間口寸法の全長にわたって二重床が存在することになるので、浴室（ユニットバス）や便所など段差が生じる水周り設備（図１に円ａで示した水周り設備）を二重床に埋め込むことで床段差をなくすことができるばかりでなく、水周り設備（ａ）の配置上の制約が小さくなり、水周り設備（ａ）を二重床の範囲内で自由に位置変更することが可能であり、小梁の存在によって天井裏設備配管の位置に制約が生じたり、室内の間仕切り壁の位置変更に支障が生じることがないことと相まって住戸内の間取り変更の自由度を高めることができる。
【００３９】
図９と図１０は、他の実施形態を示し、凹入スラブと９ｂそのはり間方向両側の内スラブ９ａ，９ａとの間に形成される段差部１０にも、アンボンドＰＣ鋼材１３を桁方向に連続して配設した点に特徴がある。
【００４０】
この構成によれば、段差部１０の剛性を高めることによって、凹入スラブ９ｂやその両側の内スラブ９ａ，９ａに埋設されるアンボンドＰＣ鋼材１３の本数を減らすことができる。その他の構成、作用は、図２、図３の実施形態と同じであるため、説明を省略する。
【００４１】
図１１は、他の実施形態を示し、凹入スラブと９ｂそのはり間方向両側の内スラブ９ａ，９ａとの間に形成される段差部１０にも、アンボンドＰＣ鋼材１３を桁方向に連続して配設すると共に、間口の広い、例えば、間口寸法がＸ２−Ｘ３，Ｘ３−Ｘ４，Ｘ６−Ｘ７の住戸区画１では、アンボンドＰＣ鋼材１３の本数を増やし、間口の狭い、例えば間口寸法がＸ４−Ｘ５，Ｘ５−Ｘ６の住戸区画１では、アンボンドＰＣ鋼材１３の本数を減らすといったように、間口寸法によって、アンボンドＰＣ鋼材１３の配設される本数を異ならしめた点に特徴がある。尚、内スラブ９ａ，９ａに配設されるアンボンドＰＣ鋼材１３のうち、大半は外周スラブ５を緊張端とするが、例えば図１１において左から二つ目と三つ目の住戸区画１を貫通するように増設された短いアンボンドＰＣ鋼材１３は、内スラブ９ａ，９ａを緊張端とすることになる。
【００４２】
この構成によれば、間口寸法に応じたスラブ剛性を確保でき、アンボンドＰＣ鋼材の埋設本数に無駄がなく、経済的である。その他の構成、作用は、図９、図１０の実施形態と同じであるため、説明を省略する。
【００４３】
本発明によるスラブ構造は、上述した実施形態からも明らかなとおり、
（１）各住戸区画１のはり間方向での中間領域が、はり間の両側の内スラブ９ａよりもスラブ面を低くした凹入スラブ９ｂに形成されていること。
（２）当該凹入スラブ９ｂは、隣接する住戸区画１の凹入スラブ９ｂと同一幅で桁方向に連続した状態に設けられていること。
（３）内スラブ９ａや凹入スラブ９ｂを支持あるいは補強するためのアンボンドＰＣ鋼材１３が、桁方向の全長にわたり連続して配設されていること。
の３点に特徴があり、アンボンドＰＣ鋼材１３によるスラブの支持あるいは補強方法については、スラブ断面を次のような構造として捉えることで、幾つかのパターンが想定される。
【００４４】
〔パターン１〕
図３に示したスラブ断面であり、桁方向に連続した鉄筋コンクリート造（以下、ＲＣ造と記載する。）の内スラブ９ａ、凹入スラブ９ｂを夫々独立したスラブと見なし、夫々のスラブをアンボンドＰＣ鋼材１３で補強し、支える構造。
〔パターン２〕
図１０に示したスラブ断面であり、パターン１に加えて、段差部１０もアンボンドＰＣ鋼材１３で補強し、内スラブ９ａ、凹入スラブ９ｂを支える構造。
〔パターン３〕
図１２に示すように、段差部１０を桁方向に連続したＲＣ造梁と見なし、段差部１０をアンボンドＰＣ鋼材１３で補強し、ＲＣ造の内スラブ９ａと凹入スラブ９ｂとを支える構造（請求項３の実施形態）。
〔パターン４〕
図１３に示すように、凹入スラブ９ｂと段差部１０が桁方向に連続したスラブ全体を支える略Ｕ字状補強部と見なし、ＲＣ造からなる凹入スラブ９ｂと段差部１０をアンボンドＰＣ鋼材１３で補強し、ＲＣ造内スラブ９ａを支える構造（請求項４の実施形態）。
〔パターン５〕
図１４に示すように、段差部１０のみならず、内スラブ９ａの段差部１０側もアンボンドＰＣ鋼材１３で補強し、ＲＣ造内スラブ９ａを支える構造（請求項５の実施形態）。
〔パターン６〕
図１５に示すように、段差部１０のみならず、内スラブ９ａの段差部１０側と凹入スラブ９ｂの段差部１０側もアンボンドＰＣ鋼材１３で補強し、ＲＣ造内スラブ９ａを支える構造（請求項６の実施形態）。
【図面の簡単な説明】
【００４５】
【図１】本発明に係るスラブ構造が適用された集合住宅の平面図である。
【図２】集合住宅のスラブ構造を説明するための平面図である。
【図３】集合住宅のスラブ構造を説明するための断面図である。
【図４】内スラブに配設したアンボンドＰＣ鋼線の固定端を示す断面図である。
【図５】内スラブに配設したアンボンドＰＣ鋼線の緊張端を示す断面図である。
【図６】凹入スラブに配設したアンボンドＰＣ鋼線の固定端を示す断面図である。
【図７】凹入スラブに配設したアンボンドＰＣ鋼線の緊張端を示す断面図である。
【図８】凹入スラブに配設したアンボンドＰＣ鋼線の緊張端を示す平面図である。
【図９】他の実施形態を説明するための平面図である。
【図１０】図９に対応する断面図である。
【図１１】他の実施形態を説明するための平面図である。
【図１２】他の実施形態を説明するための断面図である。
【図１３】他の実施形態を説明するための断面図である。
【図１４】他の実施形態を説明するための断面図である。
【図１５】他の実施形態を説明するための断面図である。
【図１６】従来例の問題点を説明するための平面図である。
【符号の説明】
【００４６】
１  住戸区画
２  戸境壁
９ａ  内スラブ
９ｂ  凹入スラブ
１０  段差部
１３  アンボンドＰＣ鋼材
【図１】
2005180012.tif 000003
【図２】
2005180012.tif 000004
【図３】
2005180012.tif 000005
【図４】
2005180012.tif 000006
【図５】
2005180012.tif 000007
【図６】
2005180012.tif 000008
【図７】
2005180012.tif 000009
【図８】
2005180012.tif 000010
【図９】
2005180012.tif 000011
【図１０】
2005180012.tif 000012
【図１１】
2005180012.tif 000013
【図１２】
2005180012.tif 000014
【図１３】
2005180012.tif 000015
【図１４】
2005180012.tif 000016
【図１５】
2005180012.tif 000017
【図１６】
2005180012.tif 000018